(57)【要約】ホームエンタテインメントシステムのオーディオクライアントは、ディスプレイ画面を有する着脱可能な遠隔指令装置（１０９）を備える。サーバ（２０１）において利用可能な音楽のメニューは、ネットワーク（２００）上のサーバ（２０１）からクライアント装置（２０２、２０３）を通じて遠隔指令装置（１０９）にダウンロードされる。ユーザは、ユーザが聴きたい楽曲を遠隔指令装置（１０９）を用いて容易に選択することができる。遠隔指令装置（１０９）は、記憶装置とデコード機能を備えて、携帯用オーディオプレイヤーとして用いることができる。
2008529128.tif 000002
【特許請求の範囲】
【請求項１】
オーディオファイルにアクセスできる少なくとも１つのサーバと、
ホームエンタテインメントネットワーク上で前記サーバと通信する少なくとも１つのクライアント装置と、
前記クライアント装置と着脱可能に係合可能で、オーディオストリームのメニューを表示する少なくとも１つの遠隔指令装置と、
を備え、
前記メニューは、前記クライアント装置で再生され、前記サーバ上に常駐するオーディオストリームを、ユーザが選択するために前記サーバから前記クライアント装置を通じて受信されることを特徴とする、ホームエンタテインメントシステム。
【請求項２】
前記クライアント装置は、オーディオ専用のクライアント装置であることを特徴とする、請求項１に記載のシステム。
【請求項３】
前記遠隔指令装置は、メニューを表示するためのディスプレイを含むことを特徴とする、請求項１に記載のシステム。
【請求項４】
前記遠隔指令装置は、ユーザのコマンドを入力するための少なくとも１つの操作可能なボタンを含むことを特徴とする、請求項１に記載のシステム。
【請求項５】
前記遠隔指令装置は、前記サーバからの選択を順に要求する前記クライアント装置に、ユーザの選択を無線で送信することを特徴とする、請求項１に記載のシステム。
【請求項６】
前記ネットワークは、電力線網であることを特徴とする、請求項１に記載のシステム。
【請求項７】
前記遠隔指令装置は、無線電話によって実装されることを特徴とする、請求項１に記載のシステム。
【請求項８】
前記遠隔指令装置は、オーディオストリームを再生可能であることを特徴とする、請求項１に記載のシステム。
【請求項９】
マルチメディアファイルにアクセスするサーバを含むホームエンタテインメントネットワークのためのクライアント装置システムであって、
オーディオストリームを再生するための少なくとも１つの機能を有し、前記ネットワーク上で前記サーバと通信するクライアント装置と、
前記クライアント装置と着脱可能に係合され、利用可能なマルチメディアストリームのメニューを表示し、ストリームのユーザ選択を受信するための手段と、
を備え、
前記手段は、前記クライアント装置と係合された場合に少なくとも１つのデータポートを通じて前記クライアント装置と通信し、前記手段は、前記クライアント装置に手動で着脱可能で、前記クライアント装置から取り外された場合に無線で前記クライアント装置と通信することを特徴とする、クライアント装置システム。
【発明の詳細な説明】
【技術分野】
【０００１】
本発明は、一般に、ホームエンタテインメントネットワークに関する。
【背景技術】
【０００２】
ホームエンタテインメントネットワークは、「クライアント」と呼ばれる様々なエンタテインメント装置を家庭の至る所で供給することが可能な中央サーバ内に導入されている。本発明に関連するのは、オーディオ及びビデオ両方のクライアントとオーディオ専用のクライアント、即ち、オーディオのみ再生しビデオは再生しない装置である。
【０００３】
本発明は、現在のオーディオクライアントについて、使い勝手の良さに関して様々な欠点が存在していると批判的に認識している。例として、Devoloにより提供されている「Microlink  dLAN  オーディオアダプタ」は、ネットワークベースのオーディオアダプタであるが、残念ながらユーザは、クライアント側から楽曲を選択することができない。その代わり、ユーザは、セントラルサーバにアクセスしなければならなず、不便である。別の例として、本願出願人の「ルームリンク（RoomLink）」イーサネット（登録商標）システムには、ユーザがネットワークサーバ（ＰＣ）に保存されているビデオストリームを選択するために操作することができるグラフィック・ユーザ・インタフェース（ＧＵＩ）を備えるＭＰＥＧデコーダを有するが、ここで認識されるように、「ルームリンク」オーディオプレーヤー自体は、ディスプレイを持たない。代わりに、ＧＵＩを提供するためにテレビをそれに接続しなければならず、例えば、通常表示機能を全く持たない「ラジカセ（boom box）」型の製品のような、原価重視のオーディオ製品にとってあまり最適でないアプローチである。従って、ここで批判的に認識されているように、音楽リストを表示し、システムサーバからではなくクライアントオーディオプレーヤから楽曲を選択する機能を提供する必要がある。
【発明の開示】
【課題を解決するための手段】
【０００４】
本発明は、上述した問題に対する安価なオーディオクライアントの解決法を提供する。クライアントは、ディスプレイ画面を有する着脱可能な遠隔指令装置を備える。ユーザが容易に楽曲を選択し、それを再生できるように、音楽メニューデータが遠隔指令装置にダウンロードされる。また、記憶装置とデコード機能と加えることにより、遠隔指令装置は、携帯型オーディオプレーヤを構築することができる。
【０００５】
従って、ある側面においては、ホームエンターテインメントシステムは、オーディオファイルにアクセスできるサーバと、ホームエンターテインメントネットワークを用いてサーバと通信するクライアント装置と、を含む。遠隔指令装置は、クライアント装置と着脱可能に係合され、クライアント装置で再生される、サーバ上のオーディオファイルをユーザが選択するために、クライアント装置を通じてサーバから受信されたオーディオファイルメニューを表示する。
【０００６】
クライアント装置は、オーディオ専用のクライアント装置であってもよい。遠隔指令装置は、メニューを表示するためのディスプレイと、ユーザのコマンドを入力するための操作可能なボタンとを含んでもよい。ある実装においては、遠隔指令装置は、ユーザの選択を無線でクライアント装置に送信し、クライアント装置は、サーバからの選択を順に要求する。ネットワークは、電力線網であることができ、遠隔指令装置は、無線電話によって実装されることができる。必要に応じて、遠隔指令装置自体が、オーディオストリームを再生可能である。
【０００７】
他の側面では、マルチメディアストリームを再生する方法は、ホームエンターテインメントシステム内のサーバにストリームを格納する段階と、ホームエンターテインメントシステム内でサーバからクライアント装置にマルチメディアストリームのメニューを伝送する段階を含む。また、方法は、メニューが遠隔指令装置上に表示されるように、クライアント装置と着脱可能に係合可能な遠隔指令装置にメニューを伝送する段階を含む。遠隔指令装置を用いて、ユーザが遠隔指令装置を操作することによって生成されるユーザの要求は、クライアント装置、サーバの順番に送信されることができる。要求に応答して、方法は、その上に表示させるためにクライアント装置にマルチメディアストリームを送信する段階を含む。
【０００８】
さらに別の側面では、マルチメディアファイルにアクセスするサーバを含むホームエンターテインメントネットワークのためのクライアント装置システムは、オーディオストリームを再生する機能を少なくとも有するクライアント装置を含む。クライアント装置は、ネットワーク上でサーバと通信する。利用可能なマルチメディアストリームのメニューを表示し、ユーザのストリームの選択を受信するために、クライアント装置に着脱可能に係合される手段が提供される。クライアント装置と連結される場合、上記手段は、データポートを通してクライアント装置と通信し、上記手段はクライアント装置から手動で取り外し可能な手段を備え、取り外された場合、無線でクライアント装置と通信する。
【０００９】
本発明の詳細は、その構造及び操作の両方に関し、添付図面を参照して最も良く理解されることができる。図面では、同様の参照番号は、同様の部分を示す。
【発明を実施するための最良の形態】
【００１０】
最初に図１を参照すると、一般に１０に指定されたホームエンタテインメントシステムが示され、電力線２００が、システム１０内の様々なコンポーネントを相互に接続するのに用いられている。例えば、８０２．１１の無線かイーサネット（登録商標）を含むホームエンタテインメントネットワークの基幹回線に、この方式が適用されてもよいと理解されたい。システム１０は、オーディオ及びビデオ用で、かつオーディオ専用クライアントを有してもよく、あるいは、システム１０自体が、オーディオ専用であってもよい。
【００１１】
図１に示す実施形態では、システム１０は、サーバ２０１と、電力線２００上でサーバ２０１と通信する１または複数のクライアント装置と、を含む。例えば、第１及び第２のクライアント装置２０２、２０３は、サーバ２０１と通信するために電力線２００に接続されてもよい。サーバ２０１は、特に、ＣＤからエンコードできるオーディオデータを格納する。さらに以下に詳しく説明されるように、ユーザは、クライアント装置２０２、２０３のうち一方または両方から音楽の楽曲を選択することができる。クライアント装置２０２、２０３は、「ラジカセ（boom box）」などのオーディオ専用のクライアントであってもよい。ユーザの選択に応答して、サーバ２０１は、電力線２００上で音楽データをクライアントに送信する。クライアント装置２０２、２０３は、互いに独立して同一のデータまたは異なるデータを受信するようにしてもよい。いずれの場合でも、ダウンロードされた音楽を以下で説明されるサーバ２０１のハードディスクドライブ（ＨＤＤ）に格納するために、オーディオデータは、インターネット、あるいはケーブルまたはＡＤＳＬ網２０５に接続されるモデム２０４と電力線２００とを介した他の場所からサーバ２０１にダウンロードされてもよい。電力線２００上では、様々な交流電源線のプラグ２１０が提供されてもよい。
【００１２】
図２は、サーバ２０１の非限定的な実装例を示している。サーバの中央演算処理装置（ＣＰＵ）６は、内部の通信バス１を通じて、他のサーバコンポーネントを制御することができる。ＣＰＵ６によって実行される制御ソフトウェアプログラムは、ローカルメモリ２２に格納されてもよい。ローカルメモリ２２は、例えば、ＲＯＭまたはＲＡＭであってもよい。電源プラグ１１は、壁ソケットにつなぐことにより電力線２００に接続するように構成される。図示するに、電源プラグ１１は、サーバＰＬＣインタフェース１２と、例えば、各コンポーネントに直流電源を供給するスイッチングレギュレータであることができるサーバ電源ブロック１３に接続される。
【００１３】
ＣＤなどの音楽ディスクは、ＣＤドライブ２に嵌め込まれることができ、ＣＤドライブ２は、ＣＤの固有のＩＤ番号を読み出し、サーババス１経由でＣＤインタフェース３を通じてサーバＣＰＵ６にＩＤ番号を送ることができる。ＣＤドライブ２からのデータは、サーバＣＰＵ６によって、サーバＨＤＤ４のように、例えば、工場でインストールされた音楽データベースを含むサーバの記憶装置に格納されてもよい。音楽データベースは、例えば５０万以上のＣＤタイトルを含むことができ、ＣＰＵ６は、以下で説明するユーザ要求に対応して要求されたＣＤタイトル、関連するアーティスト名、関連するトラックリスト、及びその他の情報を取得するための問い合わせをデータベースに対し行うことができる。音楽タイトルのＩＤは、望ましくは、ＨＤＤ４の別の領域のインデックステーブルに格納され、それらに関連する記録されたオーディオデータに関連付けられている。このような記憶装置は、本願出願人の商業的に利用可能な「Ｎｅｔ  Ｊｕｋｅ」ＮＡＳ−Ａ１製品における記憶装置の枠組みによって実装されてもよい。あるいは、またはさらに、ユーザは、例えばキーパッド２４とＬＣＤディスプレイ７を用いてＣＤ情報を入力するようにしてもよい。キーパッド２４は、内部のサーババス１に結合されるキーパッドインタフェース２３を備えることができ、ＬＣＤディスプレイ７は、内部のサーババス１に結合されるＬＣＤインタフェースを備えることができる。ＬＣＤ７は、例えば、４０文字、２０行のディスプレイであり、サーバＣＰＵ６からＬＣＤインタフェース８を通じてサーバＣＰＵ６から送信された文字データを表示することができる。
【００１４】
また図２に示すように、ある実装例においては、ＣＤからのオーディオデータは、元のＣＤデータをサーバコーデック１５に送信されてもよい。サーバコーデック１５は、例えば、圧縮メモリ１４に格納されている圧縮アルゴリズムを用いて１／１０に圧縮することができる。圧縮されたオーディオデータは、サーバＨＤＤ４に格納されてもよい。上述したように、オーディオデータは、インターネットからサーバによって受信されてもよい。
【００１５】
ＨＤＤ４内の音楽ストリームは、ＨＤＤ４に格納された音楽メニューデータに関連付けられる。以下で説明されるように、音楽メニューデータは、望ましくは、音楽メニューが変更される度にクライアントに送信される更新情報とともに、電力線２００を通じてクライアントに送信される。クライアントが、音楽参照ＩＤ要求をサーバ２０１に送ると、サーバＣＰＵ６は、ＩＤを受信し、関連する音楽ストリームにＩＤを関連付けて、電力線網上でＨＤＤ４に格納されている要求された音楽ストリームをクライアントに送信し始める。サーバ２０１は、以下で説明される遠隔指令装置によるクライアントからのコマンド（例えば、一時停止、早送り、次／前の曲にスキップ、等）に応答して、オーディオデータストリームを制御する。
【００１６】
従って、次に、遠隔指令装置１０９に関連するクライアント装置２０２の非限定的な実装例を理解するために図３を検討する。遠隔指令装置１０９は、手動でクライアント装置２０２に取り付け可能かつ取り外し可能である。例えば、遠隔指令装置１０９は、ベイから遠隔指令装置を手で取り外すことができるようにした締まりばめにクライアント装置２０２のベイ２０２ａを係合することができる。留め金式の係合、または戻り止め、または簡単な摩擦によるはめあい、または、クライアント装置２０２と遠隔指令装置１０９との手動による係合及び離脱が簡単にできるようにするための何らかの他の適当な係合構造が用いられてもよい。
【００１７】
無線信号受信機１５０は、図示されるように、クライアント装置２０２のハウジングに取り付けられることができ、以下でより完全に開示されているように、クライアント装置２０２内の制御構造と通信することができる。ある実施形態では、受信機１５０は、それがクライアント装置２０２から取り外されるときに、遠隔指令装置１０９からＩＲ（infrared；赤外線）コマンドを受信することができる赤外線（ＩＲ）受信窓口である。また、バッテリーの充電接続のためのコネクタ１５１は、遠隔指令装置１０９が物理的にクライアント装置２０２のベイ２０２ａと係合されているときに音楽メニューやオーディオデータを遠隔指令装置１０９にダウンロードするためのデータポート１５２と同様に、クライアント装置２０２のハウジング上に任意に含まれるようにしてもよい。以下でさらに記載されるように、遠隔指令装置１０９がクライアント装置２０２に取り付けられているとき、遠隔指令装置１０９は、ディスプレイとボタンとを備えるユーザインタフェースブロックとして機能する。図示されている非限定的な実装例では、クライアント装置２０２は、オーディオ専用のプレーヤーであり、したがって、１または複数のスピーカー１２１を備えるが、遠隔指令装置１０９の他には全く表示機能を持たない。
【００１８】
ここで図４を参照すると、クライアント装置２０２の一の非限定的な実装例の内部コンポーネントを見ることができる。クライアントＣＰＵ１０６は、内部クライアントデータバス１００に接続されるクライアント装置２０２内の全てのコンポーネントを制御する。例えば、クライアントＣＰＵメモリ１２２に常駐しているロジックの制御下では、クライアントＣＰＵ１０６は、クライアントＰＬＣインタフェース１１２とそこから電力線２００に接続されるパワープラグ１１１と通じてサーバ２０１と通信する。例えば、スイッチングレギュレータでありうるクライアント電源ブロック１１３は、電力線２００からの電源をクライアント装置２０２の関連コンポーネントに供給する。サーバから受信されたオーディオストリームデータは、内部バス１００を通じてＰＬＣインタフェース１１２からクライアントデコーダ１１５に送信されてもよい。デコーダ１１５は、例えばクライアントデコーダメモリ１１４に格納されるロジックを用いてデータををデコードする。デコードされたオーディオは、ＤＡＣ１１９でデジタルからアナログに変換され、増幅器１２０で増幅され、スピーカー１２１によって再生されることができる。
【００１９】
また、ＩＲインタフェース１１０は、遠隔指令装置１０９からＩＲコマンド（例えば、再生、停止、一時停止、スキップ）を受信するために提供される。さらに、データポートインタフェース１０８は、遠隔指令装置１０９とデータを交換するために、図示されるようにクライアントの内部バス１００上に提供されてもよい。データポートは、主に、図３に示されるデータポート１５２を通じて音楽メニューデータやオーディオデータを遠隔指令装置にダウンロードするために使用される。また、別の選択肢として、二次電池の稼働中に遠隔指令装置がクライアント装置２１２に係合されている場合に、電源ブロック１１３は、図３に示されるコネクタ１５１を通じてバッテリーを充電するための電源を遠隔指令装置１０９に供給する。
【００２０】
遠隔指令装置がクライアント２０２に装着されているとき、音楽メニューデータは、サーバから遠隔指令装置にダウンロードされる。具体的には、音楽メニューデータは、サーバＣＰＵ６によって、サーバＰＬＣインタフェース１２を通り、電力線２００を経由し、クライアントＰＬＣインタフェース１１２を通ってクライアントＣＰＵ１０６に送信されることができる。次に、メニューは、以下で開示されるような視覚的な表示を行うために、遠隔指令装置インタフェース１０８を通じて遠隔指令装置に送信されることができる。必要に応じて、音楽メニューデータがサーバで変更される度に、クライアントでメニューを更新することができる。２またはそれ以上のサーバがネットワーク上に存在するとき、クライアント２０２は、それぞれのサーバから音楽メニューデータを受信するようにしてもよい。この場合、クライアントＣＰＵ１０６は、それらを結合して１つの音楽メニューデータの集合を作り、その集合を遠隔指令装置１０９にダウンロードし、遠隔指令装置１０９は、必要に応じて、ユーザが楽曲を選択し易いようにメニューデータをアルファベット順にソートする。その結果、ユーザは、どんなサーバにどんな楽曲があるかを知る必要はない。ユーザは、それが格納されていた場所に関わらず、単に楽曲を選択する。メニューは、いくつかのフォトファイルを含んでもよいが、音楽メニューデータに含まれる音楽タイトル、作曲家及び実演家の名前、長さ等はほとんどがテキストデータであり、音楽メニューデータのサイズは比較的小さいということに留意されたい。
【００２１】
図５Ａ及び５Ｂは、遠隔指令装置１０９の外部構造の詳細を示す。図５Ａに示すように、ＬＣＤディスプレイ（但しこれに限られない）等のディスプレイ３０１が、遠隔指令装置に送信されたメニューから音楽タイトル及びトラックを表示するために遠隔指令装置１０９上にある。カーソルボタン３０２は、ディスプレイからタイトルまたはトラックを選択するためにを提供されてもよい。また、制御ボタン３０３は、「再生」、「一時停止」及び「停止」等のコマンドを入力するために提供されてもよい。さらに、トリック再生ボタン３０４は、「巻き戻し」及び「早送り」等の命令を入力するために用いられることができる。ボリュームボタン３０５は、ボリュームを調整するために操作されることができる。
【００２２】
図５Ｂは、遠隔指令装置１０９の背面を図示する。データポート４０９、バッテリー充電コネクタ４２２（任意）及びＩＲインタフェース４０８は、図示したように、遠隔指令装置のハウジング上で提供されてもよい。データポート４０９は、クライアント装置２０２上のデータポート１５２（図３）と物理的に係合し、遠隔指令装置１０９がクライアント装置２０２のベイ２０２ａに固定されているときに、バッテリー充電コネクタ４２２は、クライアント装置上のコネクタ１５１に物理的に係合している。従って、クライアント装置から遠隔指令装置にデータはを送信することができ、遠隔指令装置をクライアント装置と係合されているときに、クライアント装置を通して遠隔指令装置に充電することができる。
【００２３】
一方、遠隔指令装置がクライアント装置２０２と係合され取り外されるとき、クライアント装置２０２と遠隔指令装置１０９との間ではＩＲインタフェース４０８を通して無線でデータを交換することができる。このように、図３Ａのコントロールを用いて選択されたクライアントコマンドと音楽タイトルの選択は、クライアント装置２０２に送信され、そこから遠隔指令装置１０９上のＩＲインタフェース４０８によって提供される無線リンクを用いてサーバ２０１に送信することができる。さらに、電力線２００上のサーバ２０１からの音楽メニューを、クライアント装置２０２を通じて中継し、その上に表示させるために遠隔指令装置１０９に送ることができる。
【００２４】
図６は、典型的な遠隔指令装置１０９の内部コンポーネントのブロック図を示している。遠隔指令装置１０９は、指令装置のＣＰＵメモリ４０２に格納されることができるソフトウェアを実行することによって、内部の遠隔指令装置バス４００を通じ遠隔指令装置の全ての関連コンポーネントを制御するリモートＣＰＵ４０１を含む。図５Ａに示す様々な制御ボタンは、ユーザが希望するデータを適切なデータインタフェース４０５を通じてリモートＣＰＵ４０１に入力するために操作されることができる。これに対して、ディスプレイ３０１上に表示されるデータは、適切なディスプレイインタフェース４０３を通じてリモートＣＰＵ４０１からディスプレイ３０１に送られる。
【００２５】
遠隔指令装置１０９上で入力されたユーザコマンドを無線手段（例えば、図示された実施形態におけるＩＲ）を経由してクライアント装置２０２に送信する場合、コマンドは、リモートＣＰＵ４０１からＩＲインタフェース４０８に送られ、クライアント装置２０２（図４）のＩＲインタフェース１１０で送信及び受信される。また、遠隔指令装置１０９がクライアント装置２０２と係合されるとき、リモートＣＰＵ４０１は、図示されるようにデータポート４０９に接続されるデータインタフェース４０７を通じて、オーディオクライアント２０２とデータを交換することができる。必要に応じて、データポート４０９を通じてダウンロードされた音楽メニューをメモリ４０２に格納するようにしてもよい。
【００２６】
遠隔指令装置は、バッテリー駆動であり、オプションとして、遠隔指令装置は、充電コネクタ４２２を通じてクライアント２０２から供給される電圧を再充電する二次電池４２１を備えるようにしてもよい。このオプションが実装されるとき、バッテリーインタフェース４２０は、充電処理制御のために、充電状態を監視してリモートＣＰＵ４０１にそれを報告することができる。
【００２７】
さらに、ある実装例においては、携帯型オーディオプレーヤーを遠隔指令装置１０９にするために、遠隔指令装置は、それ自身の内部のオーディオデコーダ４３２と関連する記憶装置４３４とを含むようにしてもよい。遠隔指令装置１０９がクライアント装置２０２に装着されるとき、音楽メニューデータと同様に、選択された音楽データをサーバ２０１から遠隔指令装置１０９にダウンロードすることができる。そして、データポート４０９を通じて、内部の遠隔制御装置ＨＤＤ４３１にストリームを格納することができる。ダウンロードされたデータは、一時的にデコーダメモリ４３４に格納され、リモートＣＰＵ４０１に制御されてデコーダ４３２でデコードされ、ＤＡＣ４３３でデジタルからアナログに変換される。ＤＡＣ４３３からの出力信号はアンプ４３５で拡張され、ヘッドホンを接続できるヘッドホンジャック３３６に送られることができる。
【００２８】
遠隔指令装置１０９は、例えば、ソニーユニバーサル遠隔指令装置ＲＭ−ＶＬ７ＯＯＳのをコマンド学習機能を備えることができ、その場合、他のどんな遠隔指令装置も必要でない。遠隔指令装置１０９は、テレビ、ビデオテープレコーダなど全ての製品に使用することができる。
【００２９】
オーディオ専用のクライアント装置２０２について述べたが、本発明の原理は、他のクライアント装置、例えば、ビデオ表示機能も持っている装置に適用されると理解されたい。さらに、データポートの代わりに、双方向のＩＲインタフェースが用いられてもよく、これは、上述したコマンド学習機能が実装される場合は、いかなる場合でも必須である。さらに、オーディオデコード機能及びカラーＬＣＤディスプレイ及びキーボタンを備えることができる携帯電話に、遠隔指令装置１０９を実装することができる。そのような無線電話に、関連するソフトウェアとともにＩＲ送信機を加えることによって、本願の遠隔指令装置として使用することが可能である。
【００３０】
上記から見て、本発明はネットワークオーディオクライアントに対する安価で簡単な解決法である。主要なクライアントユニットがユーザーインタフェース（ボタン、ディスプレイ）を全く必要としないように、着脱可能な遠隔指令装置を有する。ユーザが簡単に素早く楽曲を選択できるように、遠隔指令装置は、サーバからダウンロードした音楽メニューデータを保持する。さらに、遠隔装置を本体に取り付けている間は、自動的に音楽メニューデータを更新することができる。必要であれば、クライアント装置は、複数のサーバからの音楽データをユーザと対話せずに統合するようにしてもよい。
オーディオデコーダと記憶装置とを加えることによって、システムを携帯型オーディオプレーヤーに拡張することができる。そして、上述したように、必要であれば、無線電話は小さな変更で遠隔指令装置を実現することができる。
【００３１】
ここで詳細に示し説明されたような特定の着脱可能な遠隔指令装置を有するホームネットワークオーディオクライアントは、上述した発明の目的を完全に達成することができるが、それは、現在の本発明の好ましい実施形態であり、そのため、本発明によって広く考慮される対象を代表するものであり、本発明の範囲は当業者にとって明らかである他の実施形態を完全に包含し、従って、本発明の範囲は添付したクレーム以外の何によっても限定されるものではなく、クレームにおける単数形の要素の参照は、明確に述べられない場合「１つ及び１つのみ」ではなくむしろ「１つまたは複数」を意味するものであると理解されたい。本クレームに包含されるべき発明について、装置または方法は、本発明によって解決することを目指すあらゆる問題を解決することを必要としない。さらに、要素、コンポーネント、またはメソッドステップが、クレームで明確に列挙されているか否かに関わらず、本開示におけるいかなる要素、コンポーネント、またはメソッドステップも、公衆に捧げられることを意図しない。ここで明確に定義されていない場合、クレームの用語には、本願明細書及び出願の履歴と矛盾しない全ての通常かつ慣用的な意味が与えられることとなる。
【図面の簡単な説明】
【００３２】
【図１】本発明のオーディオクライアントを使用可能なホームエンターテインメントシステムのブロック図である。
【図２】非限定的なオーディオサーバのブロック図である。
【図３】オーディオクライアントとの関係を分解して遠隔指令装置を示す斜視図である。
【図４】オーディオクライアントのブロック図である。
【図５ａ】非限定的な遠隔指令装置の正面の平面図である。
【図５ｂ】非限定的な遠隔指令装置の背面の平面図である。
【図６】オーディオクライアントのための遠隔指令装置のブロック図である。
【図１】
2008529128.tif 000003
【図２】
2008529128.tif 000004
【図３】
2008529128.tif 000005
【図４】
2008529128.tif 000006
【図５ａ】
2008529128.tif 000007
【図５ｂ】
2008529128.tif 000008
【図６】
2008529128.tif 000009
【国際調査報告】
2008529128.tif 000010